(57)【要約】【課題】従来品と比べて構造が簡略で、組立工程も容易で、小型化が可能で且つ低コストとなるＬＣ型簡易コネクタプラグ及びそのプラグを使用した光コネクタ装置を提供する。【解決手段】カップリングスリーブＳとフェルールＦとの２部品を具備したプリアッセンブルタイプのＬＣ型簡易コネクタプラグＰ１であって、前記カップリングスリーブＳは、外周面が角形の本体部１と、該本体部１上面にＬＣ型アダプタＱとの係合及びその解除を行なうためのラッチ２とを備え、前記本体部１先端には大径円筒状の開口部３と、該開口部３中央にはフェルールＦを嵌合保持するための小径円筒状のフェルール嵌挿用孔部４とを、前記本体部１の略中心部を貫通する光ファイバ心線の挿通孔と連設してなる。【選択図】図３
2019158957.tif 000002
【特許請求の範囲】
【請求項１】
カップリングスリーブとフェルールとの２部品を具備したプリアッセンブルタイプのＬＣ型簡易コネクタプラグであって、前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央にはフェルールを嵌合保持するための小径円筒状のフェルール嵌挿用孔部とを、前記本体部の略中心部を貫通する光ファイバ心線の挿通孔と連設してなり、前記開口部側からフェルール嵌挿用孔部にフェルールの後端側を挿着し、且つ当該フェルール先端を前記本体部先端の開口部より突出させてなることを特徴とするＬＣ型簡易コネクタプラグ。
【請求項２】
前記本体部は、その後端部に前記フェルール嵌挿用孔部に連通する筒状の突起を有し、必要に応じて前記突起にブーツの先端開口部を嵌着可能に形成したことを特徴とする請求項1記載のＬＣ型簡易コネクタプラグ。
【請求項３】
両端に光コネクタプラグ挿通用の嵌合部を設け、内部中央に、前記光コネクタプラグを前記嵌合部の両端から内挿嵌合し、両コネクタプラグのフェルール同士を当接保持するスリーブを設けたＬＣ型アダプタにおいて、その両端嵌合部の何れか一方の嵌合部に、前記カップリングスリーブとフェルールとの２部品を具備し、前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央にはフェルールを嵌合保持するための小径円筒状のフェルール嵌挿用孔部とを、前記本体部の略中心部を貫通する光ファイバ心線の挿通孔と連設してなり、前記開口部側からフェルール嵌挿用孔部にフェルールの後端側を挿着し、且つ当該フェルール先端を前記本体部先端の開口部より突出させてなるプリアッセンブルタイプのＬＣ型簡易コネクタプラグを嵌合し、前記ＬＣ型アダプタの他方の嵌合部に、フェルールを保持するフレームと、フレームを先端側へ押圧するスプリングと、前記フェルール及び前記スプリングとを内部に収容するカップリングスリーブと、前記スプリング後端を保持させて前記カップリングスリーブに嵌合させるエクステンダーキャップとからなる光コネクタプラグを嵌合することを特徴とする光コネクタ装置。
【請求項４】
カップリングスリーブとフェルールとホルダとの３部品を具備した組立タイプのＬＣ型簡易コネクタプラグであって、前記カップリングスリーブは、外周面が角形の本体部と、該本体部上面にＬＣ型アダプタとの係合及びその解除を行なうためのラッチとを備え、前記本体部先端には大径円筒状の開口部と、該開口部の内奥部中央には前記ホルダの先端部を嵌合保持するための先端が小径部で且つ後端が大径部となった円筒状のホルダ嵌挿用孔部を前記本体部の略中心部を貫通しつつ連設してなり、前記ホルダは、その先端に前記フェルールの後端側を挿着するフェルール嵌挿用孔部及び該フェルール嵌挿用孔部の後方に連通する光ファイバ心線の挿通孔とを有し、前記ホルダ先端のフェルール嵌挿用孔部にフェルールを挿着するとともに、当該フェルール付きのホルダを前記本体部のホルダ嵌挿用孔部の前記先端小径部によって嵌合保持されるように組み込んで、該フェルールを前記本体部先端から突出させてなることを特徴とするＬＣ型簡易コネクタプラグ。
【請求項５】
前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央には前記ホルダを嵌合保持するための先端が小径部で且つ後端が大径部となった円筒状のホルダ嵌挿用孔部とを、前記本体部の略中心部を貫通しつつ連設してなり、前記本体部の外周面の側面には、前記ホルダ嵌挿用孔部に嵌合した前記ホルダの側面に形成された係止爪を係止するための係止孔を形成してなることを特徴とする請求項４記載のＬＣ型簡易コネクタプラグ。
【請求項６】
前記ホルダは、その先端に前記フェルールの後端側を挿着するフェルール嵌挿用孔部と、前記本体部のホルダ嵌挿用孔部の先端小径部によって嵌合保持される小径突部とを有し、一方、前記ホルダ後端側には本体部後部に係止される大径角形のフランジ部を有し、前記ホルダの側面には、前記本体部の外周面の側面に形成された係止孔に係止されるための係止爪を有していることを特徴とする請求項４記載のＬＣ型簡易コネクタプラグ。
【請求項７】
前記ホルダは、その後端部に前記フェルール嵌挿用孔部及び光ファイバ心線の挿通孔に連通する筒状の突起を有し、必要に応じて前記突起にブーツの先端開口部を嵌着可能に形成したことを特徴とする請求項４記載のＬＣ型簡易コネクタプラグ。
【請求項８】
両端に光コネクタプラグ挿通用の嵌合部を設け、内部中央に、前記光コネクタプラグのフェルールを両端から内挿嵌合し、両光コネクタプラグのフェルール同士を当接保持するスリーブを設けたＬＣ型アダプタにおいて、その両端嵌合部の何れか一方の嵌合部に、カップリングスリーブとフェルールとホルダとの３部品を具備し、前記カップリングスリーブは、外周面が角形の本体部と、該本体部上面にＬＣ型アダプタとの係合及びその解除を行なうためのラッチとを備え、前記本体部先端には大径円筒状の開口部と、該開口部の内奥部中央には前記ホルダの先端部を嵌合保持するための先端が小径部で且つ後端が大径部となった円筒状のホルダ嵌挿用孔部を前記本体部の略中心部を貫通しつつ連設してなり、前記ホルダは、その先端に前記フェルールを挿着するフェルール嵌挿用孔部及び該フェルール嵌挿用孔部の後方に連通する光ファイバ心線の挿通孔と、前記本体部のホルダ嵌挿用孔部の先端小径部によって嵌合保持される小径突部とを有し、一方、前記ホルダ後端側には本体部後部に係止される大径角形のフランジ部を有し、前記ホルダの側面には、前記本体部の外周面の側面に形成された係止孔に係止されるための係止爪を有し、前記ホルダ先端のフェルール嵌挿用孔部にフェルール後端側を挿着するとともに、当該フェルール付きのホルダを前記本体部のホルダ嵌挿用孔部の前記先端小径部によって嵌合保持されるように組み込んで、該フェルールを前記カップリングスリーブ先端から突出させてなる組立タイプのＬＣ型簡易コネクタプラグを嵌合し、前記ＬＣ型アダプタの他方の嵌合部に、フェルールを保持するフレームと、フレームを先端側へ押圧するスプリングと、前記フェルール及び前記スプリングとを内部に収容するカップリングスリーブと、前記スプリング後端を保持させて前記カップリングスリーブに嵌合させるエクステンダーキャップとからなる光コネクタプラグを嵌合することを特徴とする光コネクタ装置。
【発明の詳細な説明】
【技術分野】
【０００１】
本発明は、光ファイバを接続するときに用いられる解除レバー付のＬＣ型簡易コネクタプラグ及びそのプラグを使用した光コネクタ装置に関する。
【背景技術】
【０００２】
近年、光ファイバの端部同士を光接続するのには、両端に光コネクタプラグ挿通用の嵌合部を設け、内部中央に前記光コネクタプラグを前記嵌合部の両端から内挿嵌合し、両コネクタプラグのフェルール同士を当接保持するスリーブを設けたＬＣ型アダプタが使用されている。この場合、ＬＣ型アダプタ両端のプラグ挿入口内には、スプリング付きのＬＣ型コネクタプラグが嵌挿される。このとき、双方のプラグのフェルールの先端が割りスリーブ内で互いに後方より弾圧されつつ突き合せ接続される。
【０００３】
このようにＬＣ型アダプタによって光接続される光コネクタプラグとしては、従来では、図１３、図１４に示すように、フェルールＦを保持するフレーム１２０と、フレーム１２０を先端側へ押圧するスプリング１４０と、前記フェルールＦ及び前記スプリング１４０とを内部に収容するカップリングスリーブ１０１と、前記スプリング１４０後端を保持させて前記カップリングスリーブ１０１に嵌合させる筒状のエクステンダーキャップ１０８とからなるＬＣ型コネクタプラグＰがＬＣ型アダプタＱ両端からプラグ挿入口Ｒ１、Ｒ２内に嵌挿される（図１５参照）。
【０００４】
カップリングスリーブ１０１は、外周面が角形に形成され、その上面にＬＣ型アダプタＱとの係合及びその解除を行なうためのラッチ１０２を備え、先端には大径円筒状の開口部１０３がカップリングスリーブ１０１の略中心部を貫通している。ラッチ１０２は、カップリングスリーブ１０１に一体的に設けられており、カップリングスリーブ１０１の先端部から後端部に向かって徐々にカップリングスリーブ１０１の外表面から離れるように傾斜して延設される支持部１０２Ａと、この支持部１０２Ａの先端部の表面にカップリングスリーブ１０１の外表面とは反対側に向かって所定量突出した突起部１０２Ｂとを有する。また、支持部１０２Ａの延設方向略中央部の幅方向両側面には、それぞれ係止突起１０２Ｃが設けられており、この係止突起１０２Ｃを介して光コネクタプラグＰがＬＣ型アダプタＱに係合するようになっている。
【０００５】
フレーム１２０は、その先端にフェルールＦ後端部を保持するフェルールフランジ部１２０Ａと、フェルールフランジ部１２０Ａの後側から突設した保護筒部１２０Ｂとを有し、保護筒部１２０Ｂの外側には、フェルールＦ後端から延出した光ファイバ心線Ｌを導出させるためのチューブ１３０が嵌着されている。
【０００６】
エクステンダーキャップ１０８は、カップリングスリーブ１０１の後端開口側に内挿されて前記スプリング１４０を係止保持するものであり、エクステンダーキャップ１０８の側面には、前記カップリングスリーブ１０１の外周面の側面に形成された係止孔１１５に係止されるための係止爪１１６を有するとともに、エクステンダーキャップ１０８の後側にはカップリングスリーブ１０１の後端開口縁部に係止される大径角形のフランジ部１１１を有し、且つ該フランジ部１１１の後端部にはブーツＢの先端開口部を嵌着可能にする筒状の突起１１２を有している。
【０００７】
また、従来においては、特許文献１に示すように、先端に係止部を備えたプラグフレーム、プラグフレームに摺動自在に嵌合外挿された筒状のスライドツマミ、プラグフレーム内の中央先端にスプリングにて前方へ付勢保持されたフェルール、フェルールの軸心部に貫通固定された光ケーブル先端の光ファイバ、ゴム製のブーツ等から構成されている多心光コネクタが公知である。
【０００８】
さらに、従来においては、特許文献２に示すように、光ケーブル側からの光ファイバを結線して先端面研磨されて成る固定接続フェルールと、予め光ファイバが挿入接着され且つ両端面研磨されて成る可動接続フェルールと、両フェルール同士の内部接続用の割スリーブと、割スリーブの内側に配置された光遮蔽部材と、光遮蔽部材の外周を覆うように配されたコイルバネを介して両フェルール間に任意の間隙を有する状態となるように当該両フェルールを保持する可動接続フェルール側のフェルールホルダーとを備え、当該間隙内に前記光遮蔽部材の光遮蔽板が常時介入されている構成とした光遮蔽機能を備えた光コネクタプラグが公知である。
【先行技術文献】
【特許文献】
【０００９】
【特許文献１】特開２００２−６１７６号公報
【特許文献２】特開２００８−１１６５１８号公報
【発明の概要】
【発明が解決しようとする課題】
【００１０】
しかしながら、上記した従来の光コネクタプラグ、特許文献１の多心光コネクタ、特許文献２の光コネクタプラグそれぞれにおいては、アダプタ両端から挿入されるプラグは双方とも「スプリング」が内蔵されているため、部品点数が多く、その分構造が複雑で、組立ても多工程となり、大型化し且つ製品コストも高くなる。
【００１１】
そこで、本発明は、叙上のような従来存した諸事情に鑑み案出されたもので、ＬＣ型アダプタの片方のプラグ挿入口に挿入されるＬＣ型コネクタプラグを「スプリング」無しの簡易プラグとすることができ、従来品と比べて構造が簡略で、組立工程も容易で、小型化が可能で且つ低コストとなるＬＣ型簡易コネクタプラグ及びそのプラグを使用した光コネクタ装置を提供することを目的とする。
【課題を解決するための手段】
【００１２】
上述した課題を解決するために、本発明に係るＬＣ型簡易コネクタプラグにあっては、カップリングスリーブとフェルールとの２部品を具備したプリアッセンブルタイプのＬＣ型簡易コネクタプラグであって、前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央にはフェルールを嵌合保持するための小径円筒状のフェルール嵌挿用孔部とを、前記本体部の略中心部を貫通する光ファイバ心線の挿通孔と連設してなり、前記開口部側からフェルール嵌挿用孔部にフェルールの後端側を挿着し、且つ当該フェルール先端を前記本体部先端の開口部より突出させてなることを特徴とする。
【００１３】
前記本体部は、その後端部に前記フェルール嵌挿用孔部に連通する筒状の突起を有し、必要に応じて前記突起にブーツの先端開口部を嵌着可能に形成したことを特徴とする。
【００１４】
本発明に係るＬＣ型簡易コネクタプラグを使用した光コネクタ装置にあっては、両端に光コネクタプラグ挿通用の嵌合部を設け、内部中央に、前記光コネクタプラグを前記嵌合部の両端から内挿嵌合し、両コネクタプラグのフェルール同士を当接保持するスリーブを設けたＬＣ型アダプタにおいて、その両端嵌合部の何れか一方の嵌合部に、前記カップリングスリーブとフェルールとの２部品を具備し、前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央にはフェルールを嵌合保持するための小径円筒状のフェルール嵌挿用孔部とを、前記本体部の略中心部を貫通する光ファイバ心線の挿通孔と連設してなり、前記開口部側からフェルール嵌挿用孔部にフェルールの後端側を挿着し、且つ当該フェルール先端を前記本体部先端の開口部より突出させてなるプリアッセンブルタイプのＬＣ型簡易コネクタプラグを嵌合し、前記ＬＣ型アダプタの他方の嵌合部に、フェルールを保持するフレームと、フレームを先端側へ押圧するスプリングと、前記フェルール及び前記スプリングとを内部に収容するカップリングスリーブと、前記スプリング後端を保持させて前記カップリングスリーブに嵌合させるエクステンダーキャップとからなる光コネクタプラグを嵌合することを特徴とする。
【００１５】
また、本発明に係るＬＣ型簡易コネクタプラグにあっては、カップリングスリーブとフェルールとホルダとの３部品を具備した組立タイプのＬＣ型簡易コネクタプラグであって、前記カップリングスリーブは、外周面が角形の本体部と、該本体部上面にＬＣ型アダプタとの係合及びその解除を行なうためのラッチとを備え、前記本体部先端には大径円筒状の開口部と、該開口部の内奥部中央には前記ホルダの先端部を嵌合保持するための先端が小径部で且つ後端が大径部となった円筒状のホルダ嵌挿用孔部を前記本体部の略中心部を貫通しつつ連設してなり、前記ホルダは、その先端に前記フェルールの後端側を挿着するフェルール嵌挿用孔部及び該フェルール嵌挿用孔部の後方に連通する光ファイバ心線の挿通孔とを有し、前記ホルダ先端のフェルール嵌挿用孔部にフェルールを挿着するとともに、当該フェルール付きのホルダを前記本体部のホルダ嵌挿用孔部の前記先端小径部によって嵌合保持されるように組み込んで、該フェルールを前記本体部先端から突出させてなることを特徴とする。
【００１６】
前記カップリングスリーブは、外周面が角形の本体部と、該本体部上面にＬＣ型アダプタとの係合及びその解除を行なうためのラッチとを備え、前記本体部先端には大径円筒状の開口部と、該開口部中央には前記ホルダを嵌合保持するための先端が小径部で且つ後端が大径部となった円筒状のホルダ嵌挿用孔部とを、前記本体部の略中心部を貫通しつつ連設してなり、前記本体部の外周面の側面には、前記ホルダ嵌挿用孔部に嵌合した前記ホルダの側面に形成された係止爪を係止するための係止孔を形成してなることを特徴とする。
【００１７】
前記ホルダは、その先端に前記フェルールの後端側を挿着するフェルール嵌挿用孔部と、前記本体部のホルダ嵌挿用孔部の先端小径部によって嵌合保持される小径突部とを有し、一方、前記ホルダ後端側には本体部後部に係止される大径角形のフランジ部を有し、前記ホルダの側面には、前記本体部の外周面の側面に形成された係止孔に係止されるための係止爪を有していることを特徴とする。
【００１８】
前記ホルダは、その後端部に前記フェルール嵌挿用孔部及び光ファイバ心線の挿通孔に連通する筒状の突起を有し、必要に応じて前記突起にブーツの先端開口部を嵌着可能に形成したことを特徴とする。
【００１９】
本発明に係るＬＣ型簡易コネクタプラグを使用した光コネクタ装置にあっては、両端に光コネクタプラグ挿通用の嵌合部を設け、内部中央に、前記光コネクタプラグのフェルールを両端から内挿嵌合し、両光コネクタプラグのフェルール同士を当接保持するスリーブを設けたＬＣ型アダプタにおいて、その両端嵌合部の何れか一方の嵌合部に、カップリングスリーブとフェルールとホルダとの３部品を具備し、前記カップリングスリーブは、外周面が角形の本体部と、該本体部上面にＬＣ型アダプタとの係合及びその解除を行なうためのラッチとを備え、前記本体部先端には大径円筒状の開口部と、該開口部の内奥部中央には前記ホルダの先端部を嵌合保持するための先端が小径部で且つ後端が大径部となった円筒状のホルダ嵌挿用孔部を前記本体部の略中心部を貫通しつつ連設してなり、前記ホルダは、その先端に前記フェルールを挿着するフェルール嵌挿用孔部及び該フェルール嵌挿用孔部の後方に連通する光ファイバ心線の挿通孔と、前記本体部のホルダ嵌挿用孔部の先端小径部によって嵌合保持される小径突部とを有し、一方、前記ホルダ後端側には本体部後部に係止される大径角形のフランジ部を有し、前記ホルダの側面には、前記本体部の外周面の側面に形成された係止孔に係止されるための係止爪を有し、前記ホルダ先端のフェルール嵌挿用孔部にフェルール後端側を挿着するとともに、当該フェルール付きのホルダを前記本体部のホルダ嵌挿用孔部の前記先端小径部によって嵌合保持されるように組み込んで、該フェルールを前記カップリングスリーブ先端から突出させてなる組立タイプのＬＣ型簡易コネクタプラグを嵌合し、前記ＬＣ型アダプタの他方の嵌合部に、フェルールを保持するフレームと、フレームを先端側へ押圧するスプリングと、前記フェルール及び前記スプリングとを内部に収容するカップリングスリーブと、前記スプリング後端を保持させて前記カップリングスリーブに嵌合させるエクステンダーキャップとからなる光コネクタプラグを嵌合することを特徴とする。
【発明の効果】
【００２０】
本発明によれば、ＬＣ型アダプタの片方のプラグ挿入口に挿入されるＬＣ型コネクタプラグを「スプリング」無しの簡易プラグとすることができるので、従来品と比べて構造が簡略で、組立工程も容易で、小型化が可能で且つ低コストとなるＬＣ型簡易コネクタプラグ及びそのプラグを使用した光コネクタ装置を提供することができる。
【００２１】
すなわち、請求項１乃至請求項３によれば総合部品がカップリングスリーブとフェルールの２点にて構成されるため、従来品と比べて構造が簡略で、組立工程も容易で、小型化が可能で且つ低コストである。
【００２２】
また、請求項４乃至請求項８によれば、総合部品がカップリングスリーブとフェル−ルとホルダの３点にて構成されるため、従来品と比べて請求項１乃至請求項３と同様の効果が得られる。しかも、カップリングスリーブは従来品と同構造の製品が採用可能なため利便性にも優れている。
【００２３】
従来の光コネクタ装置では、２個一対のＬＣ型コネクタプラグをＬＣ型アダプタの両端から嵌合し、各フェルールの後端に設けられた２個のスプリングによってＬＣ型アダプタの内部中央に配設されたスリーブ内でフェルール同士が当接（圧接）されるが、本発明ではＬＣ型アダプタの片側に装着されたＬＣ型コネクタプラグのスプリングを共用（利用)することで、他側に装着されたＬＣ型簡易コネクタプラグではスプリングを省くことができる。したがって、小型化、組立工程の簡略化、低コスト化等が実現できる。
【図面の簡単な説明】
【００２４】
【図１】本発明の第１実施形態を示すプリアッセンブルタイプのＬＣ型簡易コネクタプラグであり、（ａ）はカップリングスリーブにフェルールを装着する前の斜視図、（ｂ）はカップリングスリーブにフェルールを装着した後の斜視図である。
【図２】同じくプリアッセンブルタイプのＬＣ型簡易コネクタプラグを示すもので、（ａ）は平面図、（ｂ）は側面図、（ｃ）は底面図、（ｄ）は正面図、（ｅ）は背面図である。
【図３】図２（ｄ）のＡ−Ａ断面図である。
【図４】図２（ｄ）のＢ−Ｂ断面図である。
【図５】光ファイバの端部同士を光接続するＬＣ型アダプタを示し、（ａ）はＬＣ型アダプタの一端挿入口に通常（標準タイプ）のＬＣ型コネクタプラグを嵌合した縦断面図、（ｂ）はさらにＬＣ型アダプタの他端挿入口に本発明のＬＣ型簡易コネクタプラグを嵌合した状態の縦断面図である。
【図６】本発明の第２実施形態を示す組立タイプのＬＣ型簡易コネクタプラグであり、（ａ）はカップリングスリーブに装着されるホルダにフェルールを装着する前の斜視図、（ｂ）はフェルールを装着した後の斜視図、（ｃ）は組立後のＬＣ型簡易コネクタプラグの斜視図である。
【図７】同じく本発明の第２実施形態を示す組立タイプのＬＣ型簡易コネクタプラグのカップリングを示すもので、（ａ）は平面図、（ｂ）は側面図、（ｃ）は底面図、（ｄ）は正面図、（ｅ）は背面図である。
【図８】同じく本発明の第２実施形態を示す組立タイプのＬＣ型簡易コネクタプラグのホルダを示すもので、（ａ）は平面図、（ｂ）は側面図、（ｃ）は底面図、（ｄ）は正面図、（ｅ）は背面図である。
【図９】同じく本発明の第２実施形態を示す組立タイプのＬＣ型簡易コネクタプラグを示すもので、（ａ）は平面図、（ｂ）は側面図、（ｃ）は底面図、（ｄ）は正面図、（ｅ）は背面図である。
【図１０】図９（ｄ）のＣ−Ｃ断面図である。
【図１１】図９（ｄ）のＤ−Ｄ断面図である。
【図１２】同じく本発明の第２実施形態における光ファイバの端部同士を光接続するＬＣ型アダプタを示し、（ａ）はＬＣ型アダプタの一端挿入口に通常（標準）のＬＣ型簡易コネクタプラグを嵌合した縦断面図、（ｂ）はさらにＬＣ型アダプタの他端挿入口に本発明の組立タイプのＬＣ型簡易コネクタプラグを嵌合した状態の縦断面図である。
【図１３】従来例における光コネクタプラグを示し、（ａ）は分解斜視図、（ｂ）は組立後の斜視図である。
【図１４】従来例における光コネクタプラグの縦断面図である。
【図１５】従来例における光ファイバの端部同士を光接続するＬＣ型アダプタを示し、（ａ）はＬＣ型アダプタの一端挿入口に通常（標準タイプ）の光コネクタプラグを嵌合した縦断面図、（ｂ）は同じくＬＣ型アダプタの他端挿入口に光コネクタプラグを嵌合した状態の縦断面図である。
【発明を実施するための形態】
【００２５】
以下、図面を参照して本発明に係るＬＣ型簡易コネクタプラグ及びそのプラグを使用した光コネクタ装置を詳細に説明する。
【００２６】
＜第１実施形態＞
先ず、本発明の第１実施形態について、図１乃至図５に基づき詳細に説明する。
【００２７】
＜プリアッセンブルタイプのＬＣ型簡易コネクタプラグの構成＞
第１実施形態に係るＬＣ型簡易コネクタプラグＰ１は、治具による余計な組み付けを不要としたカップリングスリーブＳとフェルールＦとの一体化を可能とする所謂プリアッセンブルタイプの簡易プラグである。このようにＬＣ型簡易コネクタプラグＰ１は、カップリングスリーブＳとフェルールＦとの２部品を主要な構成部材としている。
【００２８】
図１乃至図４に示すように、前記カップリングスリーブＳは、外周面が角形の本体部１と、該本体部１上面に後述のＬＣ型アダプタＱとの係合及びその解除を行なうためのラッチ２とを備えている。そして、該ラッチ２は、図１、図２（ａ）、図２（ｂ）、図２（ｄ）、図２（ｅ）に示すように、本体部１に一体的に設けられており、該本体部１の先端部から後端部に向かって徐々に本体部１の外表面から離れるように傾斜して延設される支持部２Ａと、この支持部２Ａの先端部の表面に本体部１の外表面とは反対側に向かって所定量突出した突起部２Ｂとを有している。
【００２９】
また、図１、図２（ａ）、図２（ｂ）、図２（ｄ）、図２（ｅ）に示すように、ラッチ２の支持部２Ａの延設方向略中央部の幅方向両側面には、それぞれ係止突起２Ｃが設けられており、この係止突起２Ｃを介してＬＣ型簡易コネクタプラグＰ１はＬＣ型アダプタＱに係合するようになっている（後述の図５（ｂ）参照）。
【００３０】
図３、図４に示すように、前記カップリングスリーブＳの本体部１の先端には、大径円筒状の開口部３と、該開口部３中央に形成されたフェルールＦ嵌合保持用の小径円筒状となすフェルール嵌挿用孔部４とが、前記本体部１の略中心部を貫通する光ファイバ心線Ｌの挿通孔１０に連設して形成されている。前記フェルール嵌挿用孔部４には、前記開口部３側から挿入されたフェルールＦの後端側が嵌着されるとともに、フェルール嵌挿用孔部４内部の先端側に形成されている段差４ＡによってフェルールＦの後端部が係止されることで、当該フェルールＦ先端は前記本体部１の先端の開口部３より突出した状態となっている。
【００３１】
また、図１、図２（ａ）、図２（ｂ）、図２（ｃ）、図２（ｅ）、図３、図４に示すように、前記カップリングスリーブＳの本体部１は、その後端部に前記光ファイバ心線Ｌの挿通孔１０に連通する筒状の突起５を有し、必要に応じてこの突起５に図１３に示すブーツＢの先端開口部を嵌着可能にしている。
【００３２】
次に、以上のように構成された第１実施形態についての使用・動作の一例について説明する。
【００３３】
＜プリアッセンブルタイプのＬＣ型簡易コネクタプラグを使用した光コネクタ装置＞
第１実施形態に係る光コネクタ装置は、図５に示すように、ＬＣ型アダプタＱの両端に光コネクタプラグ挿通用の嵌合部Ｒ１、Ｒ２（プラグ挿入口）を設け、内部中央には、光コネクタプラグＰを前記嵌合部Ｒ１、Ｒ２の両端から内挿嵌合して両コネクタプラグＰ、ＰのフェルールＦ同士を当接保持するための割りスリーブ３１を内装したスリーブ３０を設けてなる。
【００３４】
図５（ａ）に示すように、ＬＣ型アダプタＱの一方の嵌合部Ｒ２には、スプリング１４０を備えた通常（標準タイプ）のＬＣ型簡易コネクタプラグＰが嵌合される。
【００３５】
そして、図５（ｂ）に示すように、ＬＣ型アダプタＱの他方の嵌合部Ｒ１に、前記カップリングスリーブＳとフェルールＦとの２部品を具備したプリアッセンブルタイプのＬＣ型簡易コネクタプラグＰ１が嵌合される。なお、前記例とは逆に、コネクタプラグＰをＬＣ型アダプタＱの嵌合部Ｒ１に、コネクタプラグＰ１をＬＣ型アダプタＱの嵌合部Ｒ２に嵌合することも可能である。そして、これら嵌合時においては、前記ラッチ２の突起部２ＢがＬＣ型アダプタＱの嵌合部Ｒ１、Ｒ２内部の被係止部Ｖ（図５（ａ）参照）に係合され、これらコネクタプラグＰ、Ｐ１の抜けが防止される。
【００３６】
前記通常（標準タイプ）の光コネクタプラグＰは、フェルールＦを保持するフェルールフランジ部１２０Ａと保護筒部１２０Ｂからなるフレーム１２０と、フェルールＦ後端から延出した光ファイバ心線Ｌを導出させるためのチューブ１３０と、フレーム１２０を先端側へ押圧するスプリング１４０と、前記フェルールＦ及び前記スプリング１４０を内部に収容するとともに上面にＬＣ型アダプタＱとの係合及びその解除を行なうためのラッチ２を備えたカップリングスリーブ１０１と、前記スプリング１４０後端を保持させて前記カップリングスリーブ１０１に嵌合させるとともに後部にはブーツＢが装着可能な筒状のエクステンダーキャップ１０８とからなる（前記した従来技術における図１３、図１４参照）。
【００３７】
＜第２実施形態＞
以下に、本発明の第２実施形態について、図６乃至図１２に基づき詳細に説明する。なお、前記した第１実施形態と同じ構成部分には同じ符号を附して、その詳細な説明を省略もしくは簡略化する。
【００３８】
＜組立タイプのＬＣ型簡易コネクタプラグの構成＞
第２実施形態に係るＬＣ型簡易コネクタプラグＰ２は、カップリングスリーブＳとフェルールＦとホルダＨとの３部品を主要な構成部材とした組立タイプの簡易プラグである。
【００３９】
図６乃至図１１に示すように、前記カップリングスリーブＳは、外周面が角形の本体部１と、該本体部１上面にＬＣ型アダプタＱとの係合及びその解除を行なうためのラッチ２とを備えている。前記カップリングスリーブＳの本体部１先端には大径円筒状の開口部３が形成され、該開口部３と、その内奥部中央に形成されたホルダＨ嵌合保持用の先端が小径部９Ａで且つ後端が大径部９Ｂとなった円筒状のホルダ嵌挿用孔部９とが前記本体部１の略中心部を貫通しつつ連設してなる。
【００４０】
図１０、図１１に示すように、前記ホルダＨは、前記ホルダ嵌挿用孔部９の大径部９Ｂに挿入される略角筒状の本体部８によって形成され、該本体部８の先端側には、前記ホルダ嵌挿用孔部９の先端小径部９Ａによって内嵌合保持される小径突部８Ａを有し、前記ホルダＨの本体部８の後端側にはカップリングスリーブＳの本体部１の後側開口端縁部に係止される大径角形のフランジ部８Ｂを有している。前記小径突部８Ａの中心にはフェルール嵌挿用孔部１１が形成され、該フェルール嵌挿用孔部１１の後端には光ファイバ心線Ｌの挿通孔１３が形成されている。これらフェルール嵌挿用孔部１１と光ファイバＬの挿通孔１３とは前記ホルダＨの中心部を貫通して連設してなる。
【００４１】
また、図６、図７（ｂ）、図９（ｂ）、図１１に示すように前記カップリングスリーブＳの本体部１の外周面の左右対向する側面には略角孔状の係止孔１４Ｂが形成され、この係止孔１４Ｂに対応して前記ホルダＨの本体部８の左右対向する側面には略楔形突起状の係止爪１４Ａが形成されている。前記ホルダ嵌挿用孔部９に前記ホルダＨが嵌合した際には、当該ホルダＨの本体部８のフランジ部８ＢがカップリングスリーブＳの本体部１の後側開口端縁部に係止されると同時に係止爪１４Ａが係止孔１４Ｂに嵌合係止される。
【００４２】
図６、図８、図９、図１０、図１１に示すように、前記ホルダＨの本体部８の後端部には、前記光ファイバ心線Ｌの挿通孔１３に連通する筒状の突起１２を有し、必要に応じて前記突起１２にブーツＢの先端開口部を嵌着可能にしている。なお、カップリングスリーブＳの本体部１の上壁面には、図６、図７（ｅ）、図８（ａ）、図８（ｂ）、図８（ｄ）、図１０に示すように、後端開口側から筒軸方向前方に沿ってスリット状となしたキー溝１５が形成され、これに対応して前記ホルダＨの本体部８の上壁面には、当該本体部８がキー溝１５に沿って挿入されるようキー突起１６が形成されている。
【００４３】
次に、以上のように構成された第２実施形態についての使用・動作の一例について説明する。
＜組立タイプのＬＣ型簡易コネクタプラグを使用した光コネクタ装置＞
第２実施形態に係る光コネクタ装置は、図１２に示すように、ＬＣ型アダプタＱの両端に光コネクタプラグ挿通用の嵌合部Ｒ１、Ｒ２（プラグ挿入口）を設け、内部中央には、光コネクタプラグＰを前記嵌合部Ｒ１、Ｒ２の両端から内挿嵌合して両コネクタプラグＰ、ＰのフェルールＦ同士を当接保持するための割りスリーブ３１を内装したスリーブ３０を設けてなる。
【００４４】
図１２（ａ）に示すように、ＬＣ型アダプタＱの一方の嵌合部Ｒ２に、スプリング１４０を備えた前記した構成による通常（標準タイプ）の光コネクタプラグＰが嵌合される。この部分は既述した図５（ｂ）の説明と同様である。
【００４５】
そして、図１２（ｂ）に示すように、ＬＣ型アダプタＱの他方の嵌合部Ｒ１に、前記カップリングスリーブＳとフェルールＦとホルダＨとの３部品を具備した組立タイプのＬＣ型簡易コネクタプラグＰ２が嵌合される。なお、前記例とは逆に、コネクタプラグＰをＬＣ型アダプタＱの嵌合部Ｒ１に、コネクタプラグＰ２をＬＣ型アダプタＱの嵌合部Ｒ２に嵌合することも可能である。そして、これら嵌合時においては、前記ラッチ２の突起部２ＢがＬＣ型アダプタＱの嵌合部Ｒ１、Ｒ２内部の被係止部Ｖ（図１２（ａ）参照）に係合され、これらコネクタプラグＰ、Ｐ２の抜けが防止される。
【００４６】
以上説明したように本発明では、カップリングスリーブＳの本体部１の開口部３からフェルール嵌挿用孔部４にフェルールＦを挿入するだけで、両者は互いが係合するため、ワンタッチで簡単に所定位置にフェルールＦを固定でき、しかも工具が不用である。また、本発明ではＬＣ型アダプタＱの片側に装着された光コネクタプラグＰのスプリング１４０を共用（利用）することで、他側に装着されたＬＣ型簡易コネクタプラグＰ１ではスプリング１４０を省くことができる。
【符号の説明】
【００４７】
Ｐ          光コネクタプラグ（標準プラグ）
Ｐ１、Ｐ２  ＬＣ型簡易コネクタプラグ
Ｑ          ＬＣ型アダプタ
Ｒ１、Ｒ２  嵌合部（プラグ挿入口）
Ｓ          カップリングスリーブ
Ｆ          フェルール
Ｈ          ホルダ
Ｖ          被係止部
Ｂ          ブーツ
Ｌ          光ファイバ心線（コード）
１          本体部
２          ラッチ
３          開口部
４、１１    フェルール嵌挿用孔部
４Ａ        段差
５、１２    突起
８          本体部
８Ａ        小径突部
８Ｂ        フランジ部
９          ホルダ嵌挿用孔部
９Ａ        先端小径部
９Ｂ        後端大径部
１０、１３  光ファイバ心線の挿通孔
１４Ａ      係止爪
１４Ｂ      係止孔
１５        キー溝
１６        キー突起
１０１      カップリングスリーブ
１０２      ラッチ
１０２Ａ    支持部
１０２Ｂ    突起部
１０２Ｃ    係止突起
１０３      開口部
１０８      エクステンダーキャップ
１１１      フランジ部
１１５      係止孔
１１６      係止爪
１１２      突起
１２０      フレーム
１２０Ａ    フェルールフランジ部
１２０Ｂ    保護筒部
１３０      チューブ
１４０      スプリング
【図１】
2019158957.tif 000003
【図２】
2019158957.tif 000004
【図３】
2019158957.tif 000005
【図４】
2019158957.tif 000006
【図５】
2019158957.tif 000007
【図６】
2019158957.tif 000008
【図７】
2019158957.tif 000009
【図８】
2019158957.tif 000010
【図９】
2019158957.tif 000011
【図１０】
2019158957.tif 000012
【図１１】
2019158957.tif 000013
【図１２】
2019158957.tif 000014
【図１３】
2019158957.tif 000015
【図１４】
2019158957.tif 000016
【図１５】
2019158957.tif 000017